(57)【要約】リモコンの撮像能力を活用して、遠隔で制御可能なデバイスを自動で識別し、適宜、遠隔制御装置をプログラミングする。遠隔制御装置は、内蔵の画像装置を使用して遠隔で制御可能なデバイスの画像を取得する。画像を処理し、データベースと比較してデバイスの特定のタイプを決定する。他のバリエーションは、遠隔制御装置の位置および／または制御可能なデバイスの位置の情報を含んでデバイスを決定および制御するのを容易にする。
2016524397.tif 000002
【特許請求の範囲】
【請求項１】
遠隔制御装置をプログラムするシステムであって、
遠隔で制御可能なデバイスと関連付けられた少なくとも１つの画像を取得する少なくとも１つの画像装置と、
前記少なくとも１つの画像に基づき前記デバイスを識別するプロセッサと、
を備えた、前記システム。
【請求項２】
前記プロセッサは、認識されたときに、前記遠隔制御装置をプログラムして前記デバイスを制御する、請求項１に記載のシステム。
【請求項３】
前記プロセッサは、データベースとインターフェースして前記デバイスを識別し、前記データベースは遠隔で制御可能なデバイスに関する情報に関連する画像を含む、請求項１に記載のシステム。
【請求項４】
前記データベースは、前記遠隔制御装置の外部に存在する、請求項３に記載のシステム。
【請求項５】
前記プロセッサは、前記遠隔制御装置の角度を使用して前記遠隔で制御可能なデバイスを識別する、請求項１に記載のシステム。
【請求項６】
前記プロセッサは、立体画像を使用して前記遠隔で制御可能なデバイスを識別する、請求項１に記載のシステム。
【請求項７】
前記プロセッサは、前記少なくとも１つの画像を使用して部屋の位置を決定する、請求項１に記載のシステム。
【請求項８】
前記プロセッサは、前記少なくとも１つの画像において見出されたパターンを使用して前記遠隔で制御可能なデバイスを識別する、請求項１に記載のシステム。
【請求項９】
前記画像は、デバイスの画像、デバイスに関連する画像および部屋の画像のうちの少なくとも１つを備える、請求項１に記載のシステム。
【請求項１０】
前記画像装置は、２つ以上の視野を提供するミラーを含む、請求項１に記載のシステム。
【請求項１１】
前記画像装置は、２つ以上の画像センサを含む、請求項１に記載のシステム。
【請求項１２】
前記プロセッサによって提供される前記識別に関連するフィードバックをユーザに提供するユーザインタフェースをさらに備えた、請求項１に記載のシステム。
【請求項１３】
前記ユーザインタフェースは、デバイスの選択を可能にする、請求項１２に記載のシステム。
【請求項１４】
前記ユーザインタフェースは、ユーザが少なくとも１つの画像を遠隔で制御可能なデバイスとペアにすることを可能にする、請求項１２に記載のシステム。
【請求項１５】
その次の画像が少なくとも１つの遠隔で制御可能なデバイスを含まないとき、遠隔で制御可能なデバイスの識別を保持する、請求項１に記載のシステム。
【請求項１６】
前記遠隔制御装置が別の部屋にあるとき、見通し外周波数を送信して前記遠隔で制御可能なデバイスを制御する、請求項１５に記載のシステム。
【請求項１７】
遠隔制御装置をプログラミングする方法であって、
前記遠隔制御装置で少なくとも１つの画像を取得するステップと、
前記少なくとも１つの画像に基づき前記遠隔制御装置のための操作制御を決定するステップと、
を備えた、前記方法。
【請求項１８】
前記少なくとも１つの画像から遠隔で制御可能なデバイスを識別するステップと、
遠隔制御ユーザインタフェースを自動で設定して前記識別されたデバイスを制御するステップと、
をさらに備えた、請求項１７に記載の方法。
【請求項１９】
前記少なくとも１つの画像に基づき遠隔制御周波数を選択するステップをさらに備えた、請求項１７に記載の方法。
【請求項２０】
その次の画像が遠隔で制御可能なデバイスをもたらさないとき、少なくとも識別されたデバイスのための操作制御を維持するステップをさらに備えた、請求項１７に記載の方法。
【請求項２１】
前記少なくとも１つの画像を処理して、少なくとも１つの遠隔で制御可能なデバイスに関連付けられた画像におけるパターンを決定するステップをさらに備えた、請求項１７に記載の方法。
【請求項２２】
前記少なくとも１つの画像を処理するステップは、
ユーザ入力に基づき、画像内の前記パターンを遠隔で制御可能なデバイスに関連付けるステップをさらに含む、請求項２１に記載の方法。
【請求項２３】
前記遠隔制御装置が前記少なくとも１つの画像から２つ以上の遠隔で制御可能なデバイスを識別するとき、操作制御の選択を可能にするユーザインタフェースを提供するステップをさらに備えた、請求項１７に記載の方法。
【請求項２４】
前記操作制御を決定するステップは、
前記操作制御を決定するために前記遠隔制御装置の角度を使用するステップをさらに含む、請求項１７に記載の方法。
【請求項２５】
前記操作制御を決定するステップは、
前記操作制御を決定するために前記遠隔制御装置の加速度センサを使用するステップをさらに含む、請求項１７に記載の方法。
【請求項２６】
遠隔制御装置をプログラミングするシステムであって、
前記遠隔制御装置で少なくとも１つの画像を取得する手段と、
前記少なくとも１つの画像に基づき、前記遠隔制御装置のための操作制御を決定する手段と、
を備えた、前記システム。
【請求項２７】
前記少なくとも１つの画像から遠隔で制御可能なデバイスを識別する手段と、
遠隔制御ユーザインタフェースを自動で設定して前記識別したデバイスを制御する手段と、
をさらに備えた、請求項２６に記載のシステム。
【請求項２８】
遠隔制御装置をプログラミングする方法であって、
前記遠隔制御装置で少なくとも１つの画像を取得するステップと、
マルチメディアシステムで広められた情報を取得するステップと、
前記少なくとも１つの画像および前記広められた情報に基づき、前記遠隔制御装置のための操作制御を決定するステップと、
を備えた、前記方法。
【請求項２９】
前記広められた情報は、ＭＡＣアドレス、製造業者、デバイスのタイプおよび典型的なデバイスコマンドのうちの少なくとも１つを含む、請求項２８に記載の方法。
【請求項３０】
同じコマンドが遠隔制御装置に適用されるとき、異なる部屋に位置するときに異なるデバイスを扱う、遠隔制御装置。
【請求項３１】
前記異なる部屋は画像撮影装置により検出される、請求項３０に記載の遠隔制御装置。
【請求項３２】
前記異なる部屋は、前記遠隔制御装置の画像装置が向けられるユーザが定義した対象によって検出される、請求項３１に記載の遠隔制御装置。
【発明の詳細な説明】
【背景技術】
【０００１】
人々は、異なるリモコンによって制御されるデバイスを自宅内で増やす傾向にある。いくつかの企業は、同じメーカーからの複数のデバイスを制御するためのリモコンを提供する。異なるブランドからのデバイスを持つ人々のために、いくつかのタイプの汎用リモコンが市場に出ている。しかしながら、ユーザは、それらのデバイスの各々のために汎用リモコンをプログラムしなければならない。そのようなリモコンを使用するとき、各デバイスはどのデバイスが制御されるかを示す選択ボタンを介して選択されなければならない。
【発明の概要】
【０００２】
汎用リモコンは、選択ボタンを使用せずに個別のデバイスに割り当てられ、異なるデバイスの動作制御を変更する。これは、内蔵されたカメラおよび他のセンサを備えたリモコンによって達成される。これは、上記リモコンが、新しいデバイスの写真を単に撮ることによって遠隔で制御可能なデバイスのためにプログラムされることを可能にする。上記写真は、上記リモコンがソフトウェアおよび／またはデータベースのルックアップテーブルを使用して自動的に上記デバイスを識別することを可能にする。視覚認識を使用することにより、デバイスは、単に上記リモコンを上記デバイスに向けるだけで制御される。上記リモコンにどのデバイスを制御する必要があるかを認識させるために選択ボタンを使用する必要がない。
【０００３】
上記は、主題の実施形態の幾つかの態様に基本的な理解を提供するために主題の簡単な概要を提示する。この概要は、主題の広範囲な概説ではない。これは、実施形態のキーとなる／決定的な要素を特定すること、又は主題の範囲を画定することを意図しない。その唯一の目的は、後述するより詳細な説明への導入として、簡易的な形式で主題のいくつかの概念を提示することである。
【０００４】
前述のおよび関連する目的を達成するために、実施形態の特定の具体的態様は、後述の記載および添付の図面に関連してここで説明する。これら態様は、しかし、主題の原則が採用され得る様々な方法のいくつかを示し、主題が全てのその様な態様および同等なものを含むことを目的としている。主題の他の長所および新規の構成は、図面と併せて考えるとき、後述の詳細な説明から明らかにできる。
【図面の簡単な説明】
【０００５】
【図１】内蔵の画像装置を備えた遠隔制御システムの例を示す図である。
【図２】リモコンの認識およびプログラミングの方法を示すフロー図である。
【図３】リモコンの総当たりなプログラミングの方法のフロー図である。
【図４】リモコンで制御され得る異なるデバイスを含む典型的な部屋を示す図である。
【図５】項目を選択するためのディスプレイを有するリモコンの画面を示す図である。
【図６】マルチビューを備えたリモコンの代替の実施形態の例を示す図である。
【発明を実施するための形態】
【０００６】
主題をここで図面を参照して説明し、同様の参照番号は、全体を通して、同様の要素に言及するために使用される。以下の記載では、説明を目的として、詳細な理解を提供するために、多数の具体的な詳細を示す。これは明らかであるが、主題の実施形態はこれらの具体的詳細なしに実行可能である。他の例では、周知の構造および装置を、実施形態を説明し易くするためにブロック図の形式で示す。
【０００７】
プロセッサにより提供されるとき、機能は、単一の専用プロセッサにより、単一の共有プロセッサにより、又はいくつかを共有できる、複数の個別のプロセッサにより、提供される。さらに、「プロセッサ」又は「コントローラ」という単語の明確な使用は、専らソフトウェアを実施できるハードウェアのみを参照するよう構成されるべきでなく、デジタルシグナルプロセッサ（「ＤＳＰ」）ハードウェア、ソフトウェアを記憶する読み出し専用メモリ（「ＲＯＭ」）、ランダムアクセスメモリ（「ＲＡＭ」）、および不揮発性メモリを、制限なく、暗に含むことができる。さらに、本発明の例および実施形態を述べる本明細書での全ての記述は、構造的および機能的等価物の両方を包含することを意図する。加えて、そのような等価物は、現在周知の等価物と同様に今後開発される等価物（すなわち、構造に関係なく、同じ機能を実行するよう開発された要素）も含む。
【０００８】
汎用リモコン（ＲＣ）は、それが他のデバイスを制御できるようになる前に、ユーザによってカスタマイズされることが必要である。過去において、これは制御されるデバイスに関連付けられたキー番号を入力することにより達成されている。スマートＲＣは、アルファ番号のキーパッドを有し、ブランドおよびモデル名を直接入力できる。他のタイプの方法は、「学習モデル」と呼ばれ、その汎用ＲＣは元のＲＣから送信された情報を直接記録する。
【０００９】
遠隔制御される所望のデバイスが、内部のおよび／または外部のデータベース（例えば、インターネットを介した「クラウド」内の）を使用することにより認識されるように、ユーザが内蔵の画像装置で制御されるデバイスの画像を撮るために使用できるＲＣが本明細書で開示される遠隔制御。認識が上手くいかない場合、ＲＣは、より重要な詳細の可能性のある、型プレートおよび／またはユーザマニュアルの表紙など、別の画像を撮ることをユーザに要求する。デバイスの名前およびモデルを含む紙であっても、操作制御コマンドの正しいセットがＲＣに提供されることを可能にする良好な認識を導くことができる。
【００１０】
図１に、内蔵の画像装置１０４（例えば、写真カメラ、ビデオカメラ、赤外線カメラなど）を備えた遠隔制御システム１００を示し、ＲＣ１０２の認識および制御のための要素を示す。画像装置１０４は、ＲＣシステム（例えば、ＲＣは、ＲＣ対応のソフトウェアを備えたスマートフォンなどであり得る）の既存の要素とすることができる。ＲＣ１０２は、遠隔で制御するデバイスの視覚認識を提供する画像装置１０４を含む。画像装置１０４の次に、ＲＣ１０２は、処理ユニット１０６、いくつかのメモリ１０８（例えば、ＥＰＲＯＭ）、および送信器（例えば、赤外線（ＩＲ）および／または無線周波（ＲＦ））１１０を含む。赤外線は見通し線用に使用され、一方、無線周波は、見通し線が利用できないときに使用される傾向にある。プロセッサ１０６は、画像装置１０４から受信した画像を処理して、ＲＣ１０２をプログラミングするための、および／またはＲＣ１０２により制御されるデバイスを認識するための、デバイスの識別を容易にする。画像装置１０４は、これまでの技術よりもフラストレーションなく異なるデバイスを制御することを可能にする。これは、プログラミング（汎用ＲＣのカスタマイズ）の方法および単一のＲＣにより制御される異なるデバイス間の区別の方法を含む。
【００１１】
画像装置１０４は、例えば、写真カメラのようなシングルフレーム画像装置であってもよく、および／または例えば、ビデオカメラのようなマルチ画像装置であってもよい。画像装置１０４がマルチ画像装置の能力がある場合、シングルフレームが選択されて（例えば最良の画像など）、デバイス決定に使用される。決定プロセスの間、２つ以上の画像を使用することも可能である。画像装置１０４は、例えば赤外線画像など、人間の知覚の範囲外の周波数を捉えることも含む。熱画像も、デバイスの識別に使用することができる（例えば、電力および増幅要素の位置に沿った電力消費を、どのユニットが遠隔で制御可能なデバイスであるかを決定するために使用することができる）。
【００１２】
メモリ１０８を、認識のために使用される画像装置１０４からのパターンおよび／または画像を記憶するために使用することができる。これは、ＲＣ１０２が外部接続（例えば、情報を取得するためのインターネットとの無線接続など）を必要とせず素早くデバイスを識別することを可能にする。ユーザインタフェース１１２は、ボタン、インジケータ、および／またはタッチスクリーンなど、フィードバック能力を備えたものから成ることができる。これは、２つ以上のデバイスが１つの画像に基づき可能である場合（例えば、イーサネット接続を有する／有さないモデル、同じモデルだが色々な可能なファームウェアを備えるモデルなど）、可能なＲＣ識別の選択をユーザに提供するためのディスプレイを含むこともできる。選択的に、代替の／追加のセンサ１１４および／またはネットワーク接続能力を提供することができる。ネットワーク接続能力は、例えば、ローカルエリアネットワーク（ＬＡＮ）、ブルートゥースおよび／またはワイドエリアネットワーク（ＷＡＮ）などへの有線および／または無線接続を含むことができる。
【００１３】
図２に、リモコンの認識およびプログラミングサイクルの方法２００を示す。方法２００は、通常の操作制御モードにおけるリモコンで始まる（２０２）。プログラミングモードは、その後、ＲＣで選択される（２０４）。次に、ＲＣで制御されるデバイスの画像が撮られる（２０６）。ＲＣは、ＲＣにより撮られた１つの画像および／または複数の画像に基づきデバイスの認識を試みる（２０８）。デバイスが認識された場合、デバイスを制御するためのＲＣコードは、自動的におよび／またはユーザメニューの支援などと共に適用される（２１０）。ＲＣは、その後、通常の操作制御モード（例えば、ＲＣプログラミングモードに対するＲＣ制御モード）に戻る（２１２）。
【００１４】
デバイスが画像を使用して認識されない場合、ＲＣ装置によって代替画像をユーザに提案することができる。これら代替画像ビューは、限定されないが、型プレート、バーコードおよび／またはマニュアルページなどを含むことができる。同様に、デバイスがＲＣにより認識されない場合、内蔵の無線設備を利用し、接続を試み、デバイスのダイアログを介して完全な識別を得ているデバイスを認識し、又は、デバイスおよびマルチメディアシステム／サーバ若しくはクラウドサーバによって（例えば、ＤＮＬＡ、インターネットなどを介して）一般的に広められた通信から有益な情報を抽出することができる（２１４）。これは、他の情報として、デバイスタイプ（ＴＶ、レコーダ、ＤＶＤプレーヤなど）、企業の識別子またはマックアドレスを含むことができる。この追加の情報を、デバイスを識別するために、単独でまたは（撮られた複数の画像を含む）他と組み合わせて使用することができる。これは、限定されないが、インターネットデータベースに接続すること、メーカーの遠隔サーバに接続すること、および／または遠隔データベースに接続することを含むことができる（２１８）。接続方法は、限定されないが、Ｗｉ−Ｆｉ、ブルートゥースおよび／または有線接続などを含むことができる。画像が内蔵されたデータベースを使用してＲＣに認識される場合（２１６）、ＲＣ制御コードを適用し（２１０）、通常の制御モードに戻す（２１２）。しかし、内蔵されたデータベースが２１６の結果をもたらさない場合、外部のデータベース（例えば、インターネットクラウド、遠隔サーバなど）に接続することができる（２１８）。認識が外部データベースを介して達成された場合、ＲＣ制御コードをデバイス用にプログラミングし、ＲＣは通常の制御モードに戻る（２１２）。内部および外部のデータベースの両方がデバイスの認識を失敗する場合（２２０）、ユーザがＲＣを手動で設定することができる（２２２）。
【００１５】
図３の例示方法３００に示すように、例えば、テレビのようなデバイスをプログラミングする代替方法を、「総当たりな(brute force)」手法で行うことができる。すなわち、ＲＣを、画像装置がＴＶセットを向くように配置する（３０２）。ＲＣは、（画像装置により認識される）ＴＶがつき（３０６、３０８、３１０）、次に更なる典型的なコード、例えば、消す、「チャネルのアップ／ダウン」（３１２）、輝度の制御などを確認するまで、利用可能な全てのコードを調べる（３０４）。ディスプレイが反応する場合（３１４）、コードセットが検出される（３１６）。反応がない場合、ディスプレイが反応するまで（３１４）他のコードが試される（３１８）。ＲＣがマイク（電話として動作するためにスマートフォンに通常要求されるセンサ）のような別のセンサを含む場合、音声でも確認することができる。
【００１６】
ユーザが制御することを所望するデバイスは、ＲＣがデバイスと直接通信することを可能にする通信方法を有することができる。これは、例えば、ブルートゥース接続、ＬＡＮ接続（例えば、アップルのＡｉｒｐｌａｙのようなもの）などであり得る。これは、ＲＣが画像認識の必要とせずに直接デバイスを識別することを可能にする。
【００１７】
一度、ＲＣが部屋でデバイスを認識し、ユーザがそれらのデバイスを制御する用意をすると、ＲＣの画像装置は、ＲＣが制御のために使用されているデバイスはどれかを判定するために再度使用される。例えば、テレビを制御するために、ＲＣがデバイスに向けられ、デバイスがＴＶとして認識される。各コードはＴＶを制御するために送信される。ＤＶＤプレーヤを制御するために、ＲＣはＤＶＤプレーヤなどに向けられる。これらのデバイスは、プログラミングのために使用されたパターンによって、並びに／または、内部および／若しくは外部のデータベースに格納される視覚的特徴（デザイン）によって認識される。ＴＶがプログラミングステップにおいて認識されなかった場合、「リンクステップ」は、モデルを識別されなかった画像とリンクするためになされる。画像からブランドおよびモデルを認識することは、ＲＣがテレビに向けられたことを検出することよりも難しい。
【００１８】
検出性を高めるために、特定のパターンを、製造者および／またはユーザがデバイスの前面に追加することができる。これらのパターンは、製品名、ラベルおよび／または他の製品と区別するデザイン要素であり得る。これらの要素は、人の目で見えることは全く必要ない（例えば、紫外線および／または赤外線の要素）。Ｗｉ−Ｆｉおよび／またはブルートゥースのような追加のチャネルがデバイスの検出および区別を支援することができることは当業者には明らかである。
【００１９】
ＲＣをより柔軟に作るために、画像を、自動的におよび／またはユーザからの入力を介してデバイスに割り当てることができる。よって、ＲＣは、マッピングモードおよび／またはアプリケーションモードを含むことができる。マッピングモードの間、ユーザは、画像（例えば、景色（view）、風景（scenery）または風景における動き）と、機器および／またはモデルなどとをペアにする。ユーザは、特定のパターンを特定のデバイスに割り当てることができる。これは、ユーザが部屋の中のいかなるもの（例えば、壁の写真、カップボード、風景および／またはＴＶ新聞など）へも向けさせ、それをより早く認識される機器に割り当てることができることを意味する。
【００２０】
日常の使用のために、アプリケーションモードを選択することができる。ＲＣを機器および／または項目に向けさせるたびに、ＲＣが、現在のパターンをメモリに記憶されたパターンと比較することにより適切なコードセットを評価する。対象および画像の動き並びに／または風景の変化は、デバイスに割り当てられる代替の「パターン」および／またはデバイスのためのコマンドでさえある。通常、それは対象の動きではないが、それはある画像から他のものへ動かされたＲＣである。図４に、リモコンで制御され得る異なるデバイスを備えた典型的な部屋４００を示す。パターンの良い選択は、カップボード４０８上にあるテレビ、ＣＤコレクション４０４、スピーカー４０６、ＤＶＤプレーヤおよびアンプ４１２、ラジオ（図示せず）、および／またはランプ４１０のようなある特定のものなど、あなたが過ごす部屋の一部であり得る。画像が検出されるとき、ユーザは、ＲＣ上のインジケータからおよび／または制御されるデバイスから認識が成功したことについてのフィードバックを受け取ることができる。選択されたデバイスを図柄でおよび／または「リアル」な形で描く、フィードバックがリモコンのディスプレイ（例えば、タッチスリーン、ＬＣＤなど）に現れるなら、それは有利でもあろう。デバイスであるか疑問である場合、リモコンは両方のデバイスを表示でき、ユーザがそれらの間を区別することができる。
【００２１】
下記表１および図５は、認識および割り当てが洗練されたＲＣ（例えば、スマートフォン／携帯デバイスなど）上でどのように見え得るかの例である。
【００２２】
【表１】
2016524397.tif 000003
【００２３】
画像認識は、下記を識別する。
・  形状、位置（カップボードの上）およびロゴによってＴＶを識別
・  それらの特徴（丸みのあるスピーカー）および床における位置によってスピーカーを識別
・  格納されたＣＤのパターンによってＣＤコレクションを識別
・  前面＆ロゴによっておよび位置（ＣＤパターンの下）によってＤＶＤおよびアンプを識別
・  異なる形状によりランプを識別
【００２４】
図５に、項目を選択するためのディスプレイ（例えば、タッチスクリーン）を備えたＲＣ５０４の画面５０２の例５００を示す。はっきりしない認識の場合には、ＲＣ５０４はカメラ視野（例えば、コマンドをポインティングおよび使用するときにカメラが有する視野）の画像５０６を表示する。認識における可能なあいまいさのために、選択肢５０８、５１０を囲うボックスを有する２つ以上の可能性を提案する。ユーザは、その後、制御される機器を決定することができる。シンプルな表示の場合、キー５１２（例えば、それぞれ色を持っていてもよい）を、正しいボックス５０８、５１０を評価するために使用することができる。タッチスクリーンを備えるＲＣの場合、各ボックスを選択するためにタッチすることもできる。
【００２５】
さらなる便宜上、何かしらの「ホールド」モードを持つことは有用である。これは、リモコンを最後に制御されたデバイスを記憶している「ホールド」モードに切り替えることができることを意味する。何度も直接デバイスに向けることなく、同じデバイスに後述のコマンドを送信することができる。例えば、ある人がその人のＭＰ３コレクションをランダムに聴いている場合、その人は、恐らく、ある方向に向けているリモコンを持っている間、しばしばいくつかの歌をスキップしたい。これは、ＷｉーＦｉおよびブルートゥースに関して特にそうである。ボタンにより、および／または最後に認識されたデバイスを単に使用することにより、この「ホールド」モードをトリガすることができる。リモコンが、例えば、デバイスに割り当てられていないカウチに向けられるとき、事前に認識されたデバイスを自動的に撮る。
【００２６】
さらなる有利なシナリオにおいて、ＲＣは、部屋に置かれたときに自動的に部屋を検出することができる。それで、対象に向けられたとき、特定の部屋に有用なコマンドの選択肢を提供することができる。部屋の認識は、ＲＣが部屋に置かれるとき、体系的に画像を撮ることにより達成される。それらの写真は、内蔵の加速度センサ、タイマーおよび／または手動によりトリガされる。画像の内容は、壁、家具および／または天井などであり得る。広角レンズを使用することにより、天井でさえ、多くの認識できるおよび区別できる対象を提供することができる。そのため、第２の画像装置を利用することができる。代わりに、図６の例６００に示すように、前を向いているレンズ６０４を備えたＲＣ６０２を、視界を分割するミラー６０６および天井への経路６１０（すなわち、第一の視野に対してほぼ９０度の経路）によって拡張することができる。追加の画像装置および／または追加のミラーと共に、立体画像も可能である。立体画像は、（機器が割り当てられた）種々の対象のより良い測距およびより良い検出の優位点を持つ。位置情報も、ＷＬＡＮホットスポット、ＧＰＳなどのような他のソース、および／または加速度センサ、ジャイロスコープおよび／または時間などにより得られる情報によりサポートされ得る。
【００２７】
これらの技術は、ＲＣが部屋に依存したメニューを提供することを可能にする。これは、例えば、制御されるデバイス無しで部屋で具合が悪く、他の部屋のテレビを見ることはできないがその音は聞くことができる場合、ＲＣは、あなたが現在いる部屋を既に検出しており、制御されるものは他に何もないことを知るため、リモコンを向けることなくボリュームを制御するのを可能にする。一定の距離および／または種々の部屋に関して、適切な通信経路が選択される（例えば、ＩＲおよび／またはＲＦ）ことは明らかである。加えて、姿勢（加速度センサおよびコンパスにより検出される、空間角度）は、デバイスに割り当てるために、−および／または割り当ての支援のために、使用され得る。一例として、下方へ向けることは近くのフロアーの音声機器を意味し、天井に向けることで照明を制御し、および／または場所とともにある方角を指すことで特定のデバイス（および／または割り当てられた対象）を扱うことができる。
【００２８】
上述されたものは、実施形態の例を含む。もちろん、実施形態を説明するため、要素または方法論の全ての考えられる組み合わせを記載することは不可能であるが、当業者には多くの更なる実施形態の組み合わせおよび並び替えが可能であることは認識され得る。従って、主題は、添付の請求項の精神および範囲に入る全ての代替、調整および変化を含むことを意図されている。さらに、「含む(include)」という用語が詳細な説明または請求項において使用さる範囲に対して、そのような用語は、「備える(comprising)」が請求項において移行の語として採用されるときに解釈されるように、「備える(comprising)」と同様に含まれることを意図される。
【図１】
2016524397.tif 000004
【図２】
2016524397.tif 000005
【図３】
2016524397.tif 000006
【図４】
2016524397.tif 000007
【図５】
2016524397.tif 000008
【図６】
2016524397.tif 000009
【国際調査報告】
2016524397.tif 000010
2016524397.tif 000011
2016524397.tif 000012
2016524397.tif 000013
2016524397.tif 000014